(57)【要約】【課題】  ファイル用紙の綴じ孔に紐状の挿通部材を挿通して綴じるファイルで、その綴じた一番上の用紙等を取り外すことなく、途中で必要とする位置から用紙等の差し込みと取り外しとを円滑に行い得るようにする。【解決手段】  ファイル用紙３の綴じ孔４に挿通する太さで筒体の綴じ筒７から支持足５とその支持足５の先を延長して表紙と固定する固着部６とを設け、その綴じ筒７の内側に挿通して抜け出る可撓性のある綴じ紐８を設け、背部２を挟んで綴じ筒７と綴じ紐８とを相対向する位置に固定させ、綴じ筒７の内側に綴じ紐４を挿通することで綴じ込みをする。  また、綴じ筒７を管体による綴じ管１２とし、その綴じ管１２の付け根に綴じ紐８の先端が抜け出る横孔１３を背部２とは反対方向に向けて直立状態に固定することもできる。【選択図】  図１
2007283648.tif 000002
【特許請求の範囲】
【請求項１】
ファイル表紙の中央部分の背部を境にして谷折りに折畳んだり展開して開いたりすることができるファイル表紙において、ファイル用紙に設けてある綴じ孔に挿通する太さの筒形状で長くとも背部の幅とした長さの綴じ筒よりその一端から連接した可撓性の支持足とその支持足の先を延長して表紙と固定する固着部とを設け、その綴じ筒の内側に挿通して抜け出る長さで可撓性のある綴じ紐が背部を挟んで綴じ筒と相対向する位置に固定させ、綴じ筒の内側に綴じ紐を挿通することでファイル用紙に設けてある綴じ孔による綴じ込みをする綴じ筒と綴じ紐とを設けたことを特徴とするファイル。
【請求項２】
ファイル用紙に設けてある綴じ孔に挿通する太さの綴じ筒を背部の幅に収まる長さの管体による綴じ管としてファイル表紙の背部寄りに直立状態として固定し、その綴じ管の付け根に綴じ紐の先端が抜け出る横孔を背部とは反対方向に向けて固定したことを特徴とする請求項１記載のファイル。
【発明の詳細な説明】
【技術分野】
【０００１】
この発明は、所定の間隔で用紙等に貫通孔の綴じ孔を形成し、その綴じ孔に紐状の挿通部材を挿通して綴じるファイルであって、その綴じた一番上の用紙等を取り外すことなく、途中で必要とする位置から用紙等の差し込みと取り外しとを円滑に行い得るファイルに関するものである。
【背景技術】
【０００２】
従来、表表紙と裏表紙とのつなぎ部分となる背部のところで、用紙等の綴じ孔に紐状の挿通部材を挿通して綴じたファイルは各種知られているが、綴じ込んである用紙等の途中から綴じ込んだり取り外したりする着脱操作ができるものとしては特開２０００−１０８５７０や特開２００１−３２８３８４があった。
【０００３】
これらのファイルは、紐状の挿通部材の基に挿入孔を設けたものとしており、対向する表紙に挿通部材をそれぞれ設け、その紐状の挿通部材の先端部を対向側の挿入孔に挿通させ、その挿入孔を基にした紐状の挿通部材の先端部を反対側の挿通部材の基にある挿入孔へ挿通させる交互の挿通によって用紙等を綴じ込むものであった。
【０００４】
【特許文献１】特開２０００−１０８５７０号公報
【特許文献２】特開２００１−３２８３８４号公報
【発明の開示】
【発明が解決しようとする課題】
【０００５】
従来の特開２０００−１０８５７０号公報と特開２００１−３２８３８４号公報とのファイルにおいては、綴じ込んである用紙等を取り外すときには、取り外す用紙のところで展開して開き、左右の紐状の挿通部材が重なり合っている下に指を差し入れて上に引き上げることで紐状の挿通部材の先端部が上方に立ち上がった状態となるので、用紙等の取り外しが出来るもので、用紙等を綴じ込むときも同じである。
【０００６】
従って、紐状の挿通部材は長さのあるものであるから、紐状の挿通部材を挿入孔へ長々と差し入れることがやや手間が掛かり、左右の紐状の挿通部材を左右の挿入孔へ差し入れる手間を二回操作する手間の掛かるものであった。
【０００７】
また、用紙等の綴じ孔へ紐状の挿通部材を差し入れるときに一番下の綴じ孔に挿通せず途中の用紙等の間に差し入れることがあって二三回差し直したり、長さのある紐状の挿通部材を長々と移動させたりすることも操作として容易とは言えない欠点もあった。
【課題を解決するための手段】
【０００８】
本発明は、ファイル表紙１の中央部分の背部２を境にして谷折りに折畳んだり展開して開いたりすることができるファイル表紙１の内側に、綴じ込むファイル用紙３に設けてある綴じ孔４に挿通する太さで長くとも背部の幅とした長さによる筒体の一端から連接する可撓性の支持足５とその支持足５の先を延長して表紙と固定する固着部６とを設けた綴じ筒７を形成している。
【０００９】
また、この綴じ筒７の筒部分を可撓性素材や硬質材で形成したり、綴じ筒７を管体の綴じ管１２として直立状態に固定し、その綴じ管１２の付け根に綴じ紐８の先端が抜け出る横孔１３を背部２とは反対方向に向けて固定することも考えられる。
【００１０】
そして、その綴じ筒７や綴じ管１２の内側に挿通して抜け出る可撓性素材による綴じ紐８を相対向する位置となる背部２を挟んで綴じ筒７や綴じ管１２と相対向する位置に固定させ、綴じ筒７や綴じ管１２の内側に綴じ紐８を挿通することでファイル用紙３の綴じ込みをするものとしており、綴じ紐８としては細棒状、細板状や細いコイルスプリング等が考えられる。
【００１１】
ファイル用紙３をファイル表紙１に綴じ込むときには、ファイル用紙３の綴じ孔４に綴じ筒７や綴じ管１２を挿通し、その綴じ筒７や綴じ管１２の内側に綴じ紐８を挿入することで綴じ孔４によるファイル用紙３のファイル表紙１への綴じ込みができるもので、２孔ファイルや４孔ファイルなどの多孔ファイルにも利用することが可能である。
【００１２】
また、ファイル表紙１に差し込まれているファイル用紙３を取り外すときには、その取り外したい場所を展開して開き、背部２を挟んで存在する綴じ筒７や綴じ管１２と綴じ紐８との下側に指先を差し入れて上に引き上げることで綴じ筒７や綴じ管１２と綴じ紐８とが離れて左右に立ち上がるので、一番上になって綴じてあったファイル用紙３とは関係無く展開して開いたところの必要とする用紙等の取り外しが容易にできるものである。
【発明の効果】
【００１３】
本発明のファイルは、綴じ筒７や綴じ管１２の内側に綴じ紐８を挿通するときに綴じ筒７と支持足５や綴じ管１２と横孔１３とによって綴じ紐８の先端が案内されるので、綴じたファイル用紙３の一番下の綴じ孔４に入らず中間の用紙等の間に入り込んで差し込み直しをすることがなくなり、紐状の挿通部材を挿入孔へ長々と差し入れる手間が掛からず左右の挿通部材を左右の挿入孔へ差し入れる手間を二回操作する手間が一回で済む効果のあるものである。
【００１４】
また、綴じ込まれたファイル用紙３の一番上にある用紙等を取り外すことなく、必要とする位置を展開して開き、取り外しと差し込みとができるもので、２孔ファイルや４孔ファイルなどの多孔ファイルにも利用することが可能となるものである。
【発明を実施するための最良の形態】
【００１５】
以下、実施例を図面に基づいて説明する。
【実施例１】
【００１６】
本発明に係わる実施例の一つとしての２孔フアイルでは、図１に示すように、綴じ筒７は可撓性のあるプラスチックによるものであって、その綴じ筒７は背部８の幅に収まる長さである背部８の幅と同じ長さを筒状としたもので、その筒と連接する固定部６は筒の側面の一部を切り残した平板状として表表紙９の裏側に固定させ、その綴じ筒７と固定部６との間には柔軟な可撓性の支持足５を設けており、その綴じ筒７の内側を挿通できる綴じ紐８は可撓性のあるプラスチックによる棒状とした綴じ紐８とし、その基部１０を綴じ筒７と対応する裏表紙１１の裏側に固定させ、綴じ紐８の長さを綴じ筒７への挿通する長さとしているものである。
【００１７】
また、図２に示すものは、背部８の幅と同じ長さとした綴じ筒７を背部２の長さより短い状態のものとしたもので、その短い綴じ筒７と固定部６との間には長い支持足５を設けた形状になり、その綴じ筒７の内側を挿通できる綴じ紐８は可撓性のあるプラスチックによる平板状とした綴じ紐８とし、その基部１０を綴じ筒７と対応する裏表紙１１の裏側に固定させたものとしている。
【００１８】
綴じ筒７と綴じ紐８とを、可撓性のあるプラスチック以外のゴムや繊維質などで可撓性のある素材によって形成することが考えられ、表表紙９の裏側に固定した綴じ筒７と裏表紙１１の裏側に固定した綴じ紐８とを入れ替えた状態とすることもでき綴じ筒７だけを硬質材とすることも考えられるものである。
【実施例２】
【００１９】
その他の実施の形態としては、図３に示すように、可撓性のあるプラスチックによる綴じ筒７を硬質で背部２の長さと同じ長さの管体による硬質の綴じ管１２として形成して表表紙９の裏側となる背部２寄りに直立状態として固着し、その綴じ管１２の付け根に綴じ紐８の先端が抜け出る横孔１３を背部２とは反対方向に向けて設け、綴じ管１２の先端側には背部２側に向けて凹状に切欠いた案内切欠き部１４を設けたもので硬質の綴じ管１２を柔軟な可撓性にすることも考えられる。
【００２０】
綴じ管１２の内側を挿通できる綴じ紐８は可撓性のあるプラスチックによる棒状や板状、それに細いコイルスプリングを使用し、その綴じ管１２の基部１０を綴じ筒７と対応する裏表紙１１の裏側に固定させ、綴じ紐８の先端を綴じ管１２の内側を挿通させるときには案内切欠き部１４が綴じ紐８の曲りを緩和するもので案内切欠き部１４を、図５に示すように、傾斜した先端側としても良く、横孔１３が綴じ紐８の先端の進行を案内し、綴じ管１２と綴じ紐８とでファイル用紙３の綴じ孔４による綴じ込みができる。
【００２１】
本発明に係わるファイルは、綴じ筒７や綴じ管１２によるものであっても、その使用方法は従来の二孔ファイルと同じようなものであって、ファイル表紙１を開いて必要とするページを捲り出し、綴じ紐８の下に指先を差し込んで上に引き上げることで綴じ筒７や綴じ管から綴じ紐８が抜け出して起立状態となるので、開いたところでファイル用紙３の取り外しと差し込みとが容易に出来るものとなり、一番上になっていたファイル用紙３とは関係無く取扱いが出来るものである。
【図面の簡単な説明】
【００２２】
【図１】本発明の実施の形態としての実施例１を示す斜視図である。
【図２】綴じ筒を短く設けた実施例１を示す斜視図である。
【図３】綴じ管と綴じ紐とによるファイル表紙を示す斜視図である。
【図４】綴じ筒の支持足と固定部とを示す斜視図である。
【図５】綴じ管の先端側を傾斜させた状態を示す斜視図である。
【符号の説明】
【００２３】
１  ファイル表紙
２  背部
３  ファイル用紙
４  綴じ孔
５  支持足
６  固定部
７  綴じ筒
８  綴じ紐
９  表表紙
１０  基部
１１  裏表紙
１２  綴じ管
１３  横孔
１４  案内切欠き部
【図１】
2007283648.tif 000003
【図２】
2007283648.tif 000004
【図３】
2007283648.tif 000005
【図４】
2007283648.tif 000006
【図５】
2007283648.tif 000007